(57)【要約】【課題】あらかじめ貯蔵済みの飲料缶等を退けることなく新たな飲料缶等を奥側に補充することが可能な貯蔵棚を得る。また、飲料缶等を貯蔵する必要が無いときには、飲料缶等以外の貯蔵物を貯蔵するスペースを得ることが可能な貯蔵棚を得る。【解決手段】棚板１下部に可動自在な下部移動棚７を備え、下部移動棚７が収納状態においては、下部移動棚７を棚板１下部に近接して設ける。下部移動棚７が使用状態においては、下部移動棚７を、開口部２を通過した貯蔵物が下部移動棚７上をストッパ部９まで転がり落ちるように傾斜して設ける。【選択図】図２
2008215777.tif 000002
【特許請求の範囲】
【請求項１】
略円筒形状を有する貯蔵物が通過可能な開口部を有する第１の棚板と、
該第１の棚板下部に可動自在な下部移動棚とを備え、
前記下部移動棚は、
収納状態においては、前記第１の棚板下部に近接して設けられ、
使用状態においては、前記開口部を通過した貯蔵物が所定の方向に移動するように傾斜して設けられたことを特徴とする貯蔵棚。
【請求項２】
前記第１の棚板は、その上部に上部移動棚を備え、
該上部移動棚は、
前記開口部を開閉自在に可動でき、
収納状態においては、前記開口部を閉じるように設けられ、
使用状態においては、前記貯蔵物が前記上部移動棚上を移動して前記開口部を通過するように傾斜して設けられたことを特徴とする請求項１に記載の貯蔵棚。
【請求項３】
前記下部移動棚は、ストッパ部が設けられた伸縮自在の下部移動棚伸縮部を有することを特徴とする請求項１又は請求項２に記載の貯蔵棚。
【請求項４】
前記下部移動棚は、
使用状態においては、
所定の間隔で前記第１の棚板の下方に設けられた第２の棚板に支持されることを特徴とする請求項１〜請求項３のいずれかに記載の貯蔵棚。
【請求項５】
前記第１の棚板の下部及び前記下部移動棚の上部には、互いに対応する位置に保持部材が設けられ、
前記下部移動棚が収納状態においては、
前記下部移動棚は前記保持部材により保持されることを特徴とする請求項１〜請求項４のいずれかに記載の貯蔵棚。
【請求項６】
前記保持部材は、磁石及びマジックテープ（登録商標）のうち少なくとも一方からなることを特徴とする請求項５に記載の貯蔵棚。
【請求項７】
前記ストッパ部は、フック又はフック掛合部の一方を有し、
前記第１の棚板は、前記下部移動棚が収納状態での前記フック又は前記フック掛合部の一方と整合する位置に、前記フック又は前記フック掛合部の他方を有し、
前記下部移動棚が収納状態においては、
前記下部移動棚は前記フックを前記フック掛合部に掛合して保持されることを特徴とする請求項３〜請求項６のいずれかに記載の貯蔵棚。
【請求項８】
前記下部移動棚は、
使用状態においては、
前記下第１の棚板に設けられた支持構造により所定の傾斜角度に支持されることを特徴とする請求項１〜請求項７のいずれかに記載の貯蔵棚。
【請求項９】
前記支持構造は、
前記第１の棚板及び前記下部移動棚を継合するリンク機構、前記第１の棚板及び前記下部移動棚を継合する帯状部材、両端部を前記下第１の棚板に回転自在に接続された略コの字形状の支持部材、及び両端部を前記下第１の棚板に接続された紐状部材のうち少なくとも一方からなることを特徴とする請求項８に記載の貯蔵棚。
【請求項１０】
前記上部移動棚には指掛け用穴が備えられたことを特徴とする請求項２〜請求項９のいずれかに記載の貯蔵棚。
【請求項１１】
前記第１の棚板に防振材を設けたことを特徴とする請求項１〜請求項１０のいずれかに記載の貯蔵棚。
【請求項１２】
前記下部移動棚の両側縁部に貯蔵物の脱輪防止ガイドを設けたことを特徴とする請求項１〜請求項１１のいずれかに記載の貯蔵棚。
【請求項１３】
請求項１〜請求項１２に記載のいずれかの貯蔵棚を少なくとも１つ庫内に設けたことを特徴とする冷蔵庫。
【請求項１４】
請求項１〜請求項１２に記載のいずれかの貯蔵棚を少なくとも１つ庫内に設けたことを特徴とする収納庫。
【発明の詳細な説明】
【技術分野】
【０００１】
この発明は、貯蔵棚及びこの貯蔵棚を備えた冷蔵庫又は収納庫に関する。
【背景技術】
【０００２】
従来の貯蔵棚として、例えば「棚部材２０は、例えばステンレス材料で作製され、矩形の枠材２３と、この枠材２３の前辺２３ａから後辺２３ｂに渡り縦方向に広い間隔Ｌ１と狭い間隔Ｌ２とを交互に等しく存して複数本設けられた左右線材２４及び中間部の２本ずつ対を成した中間部線材Ｚとから構成されている。各線材２４、Ｚは、後辺２３ｂから前辺２３ａに向けて前下がりに傾斜した傾斜部２６と、この傾斜部２６の前端から上方へ折曲し前辺２３ａに至る折曲部２７とを有している。」（例えば特許文献１参照）というものが提案されている。
また、例えば「缶飲料などが２列入る仕切ケースであり、中央部に仕切り版を設けている。商品を右列から押し込むと順次奥に入って行く。奥には緩やかな半楕円状に商品をガイドする板があり、既に入っている商品は、板を伝いながら左前方へ押し出されて行く。このことにより、旧い商品は常に左側に出てくる仕組みである。」（例えば特許文献２参照）というものが提案されている。
【０００３】
【特許文献１】実用新案登録第３０８９７０８号公報（段落番号００１４、図２、図４）
【特許文献２】特開２００３−２７９２４４号公報（段落番号０００４、図１、図２）
【発明の開示】
【発明が解決しようとする課題】
【０００４】
従来の貯蔵棚には以下のような問題があった。まず、特許文献１の構成においては、貯蔵棚は手前に傾斜しているだけであり、新たな飲料缶を奥側に供給しようとした場合、あらかじめ貯蔵済みの飲料缶等を退けることなく新たな飲料缶を供給する事が困難であるという問題点があった。また、特許文献２の構成においては、冷蔵庫又は収納庫の庫内に貯蔵棚を設置すると、飲料缶等を貯蔵する必要が無いときも貯蔵棚に庫内のスペースを奪われ、この結果、他の大きな貯蔵物を貯蔵する事ができないという問題点があった。
【０００５】
この発明は上述のような課題を解決するためになされたものであり、第１の目的は、あらかじめ貯蔵済みの飲料缶等を退けることなく新たな飲料缶等を奥側に供給することが可能な貯蔵棚を得るものである。また、第２の目的は、飲料缶等を貯蔵する必要が無いときには、飲料缶等以外の貯蔵物を貯蔵するスペースを得ることが可能な貯蔵棚を得るものである。
【課題を解決するための手段】
【０００６】
この発明に係る貯蔵棚は、略円筒形状を有する貯蔵物が通過可能な開口部を有する第１の棚板と、該第１の棚板下部に可動自在な下部移動棚とを備え、前記下部移動棚は、収納状態においては、前記第１の棚板下部に近接して設けられ、使用状態においては、前記開口部を通過した貯蔵物が所定の位置に移動するように傾斜して設けられるものである。
【発明の効果】
【０００７】
この発明においては、飲料缶等を傾斜した下部移動棚に貯蔵する際、下部移動棚の上部の開口部から飲料缶等を供給するので、あらかじめ貯蔵済みの飲料缶等を退けることなく新たな飲料缶等を供給することができる。また、下部移動棚を用いて飲料缶等を貯蔵する必要がないときは、下部移動棚を第１の棚板下部に近接して収納できるので、飲料缶等以外の貯蔵物を貯蔵するスペースを得ることができる。
【発明を実施するための最良の形態】
【０００８】
実施の形態１．
図１はこの発明の実施の形態１における、上部移動棚３及び下部移動棚７が収納状態の貯蔵棚３０を示す外観斜視図である。図２は本実施形態１における、上部移動棚３及び下部移動棚７が使用状態の貯蔵棚３０を示す外観斜視図である。図３は本実施形態１における、上部移動棚３及び下部移動棚７が収納状態の貯蔵棚３０を示す側面図である。また、図４は本実施形態１における、上部移動棚３及び下部移動棚７が使用状態の貯蔵棚３０を示す側面図である。以下、これら図１〜図４を用いて本実施形態１における貯蔵棚３０について説明する。
【０００９】
本発明の第１の棚板に相当する例えば樹脂製の棚板１には、長方形に開口された開口部２が形成されている。この開口部２には、開口部２の開口形状に対応した上部移動棚３が設けられている。この上部移動棚３は、図１及び図３に示すように収納状態においては開口部２内に収納され、開口部２を閉じている。また、開口部２には、上部移動棚３の上面高さと棚板１の上面高さを合わせるようにＨ形状に形成された上部移動棚ガイド４が設けられている。上部移動棚３には、上部移動棚３を上部移動棚ガイド４上で摺動させる際に使用する長穴形状の指掛け用穴５が形成されている。また、上部移動棚３の下部には傾斜脚６が設けられている。傾斜脚６の下面は傾斜しており、図２及び図４が示すように上部移動棚３が使用状態においては上部移動棚３上面が緩やかに開口部２側に向かって下るようになっている。上部移動棚３を使用状態にすることにより、開口部２が開く。
【００１０】
棚板１の下部には、略直方体の箱形形状をした下部移動棚７が設けられている。この下部移動棚７には、下部移動棚７の内部を摺動し、図に示す手前方向に伸縮自在な下部移動棚伸縮部８が設けられている。この下部移動棚伸縮部８は手前側に上向きに折り曲げられたストッパ部９を有し、断面略Ｌ形状をしている。また、下部移動棚７は、下部移動棚７の奥側に設けられた回転支持軸１０を介して、下部傾斜ガイド１１と回転自在に接続されている。下部傾斜ガイド１１は、回転支持軸１２を介して下部垂直ガイド１３と回転自在に接続されている。下部垂直ガイド１３は、棚板１下部の開口部２奥側に設けられた回転支持軸１４を介して、棚板１と回転自在に接続されている。つまり、回転支持軸１０、下部傾斜ガイド１１、回転支持軸１２、下部垂直ガイド１３及び回転支持軸１４によって構成されるリンク機構１５により、下部移動棚７は棚板１に可動自在に継合されている。
【００１１】
棚板１の手前側側面には、フック１６が設けられている。また、下部移動棚伸縮部８の折り曲げ部にはフック掛合部１７が設けられている。図１及び図３に示すように、下部移動棚７収納状態においては、フック１６にフック掛合部１７を掛合することによって、下部移動棚７等は棚板１の下部に近接して保持されている。フック１６及びフック掛合部１７により下部移動棚７等を保持することにより、ワンタッチで下部移動棚７を使用状態にすることができる。
図２及び図４に示すように、下部移動棚７使用状態においては、下部移動棚伸縮部８が引き出された状態の下部移動棚７の手前側は、棚板１の下方に設けられた本発明の第２の棚板に相当する棚板１８に支持され、緩やかに手前側に向かって下るように傾斜した状態で設けられる。下部移動棚７の奥側で下部移動棚７の荷重を支持するリンク機構１５は、下部垂直ガイド１３は垂直方向に、下部傾斜ガイド１１は傾斜した状態で各々配置される。なお、図３及び図４に示す背面板１９は、本実施形態１における貯蔵棚３０を冷蔵庫又は収納庫２８に設けた際の、冷蔵庫又は収納庫２８の背面板である。
【００１２】
図５は、本実施形態１における下部移動棚７の組立工程図である。また、図６は本実施形態１における上部移動棚３の組立工程図である。この図５及び図６を用いて、下部移動棚７及び上部移動棚３の収納状態から使用状態までの組立工程について説明する。下部移動棚７が棚板１の下部に近接して設けられている下部移動棚７収納時の状態（工程１）から、図に示す矢印方向に下部移動棚伸縮部８を引き出し、フック１６からフック掛合部１７を外す（工程２）。さらに、下部移動棚伸縮部８を全て引き出して、下部移動棚７を下ろす。その後、下部移動棚伸縮部８の手前部分を棚板１８上面に着座させ、下部移動棚７が緩やかに手前側に向かって下るように傾斜した状態に設ける（工程３）。次に、上部移動棚３に形成された指掛け用穴５に指を掛けて上部移動棚３を持ち上げ（工程４）、図に示す矢印方向に上部移動棚３を上部移動棚ガイド４上で摺動させる（工程５）。その後、上部移動棚３下部に設けられた傾斜脚６を棚板１の上面に着座させ、上部移動棚３が緩やかに開口部２側に向かって下るように傾斜した状態に設ける（工程６）。また、工程６→工程１の手順で作業することにより、下部移動棚７及び上部移動棚３を収納状態に戻すことができる。
【００１３】
なお、棚板１と下部移動棚７はリンク機構１５により継合したが、棚板１と下部移動棚７を例えばシート部材で係合する等種々の方法が可能である。上部移動棚３の可動方法も摺動に限定するものではない。本実施形態１では樹脂により棚板１を製作したが、これに限らすガラス、ステンレス等さまざまな材質での製作が可能である。また、本実施形態１では、下部移動棚７収納状態にフック１６及びフック勘合部１５を用いて下部移動棚７等を保持したが、その他の保持手段を設けることもできる。
【００１４】
図７は、本実施形態１における下部移動棚７保持方法の別の一例である。棚板１の下部と下部移動棚７には、互いに対応する位置に保持部材２２が設けられている。この保持部材２２は、例えば磁石やマジックテープ（登録商標）等である。この保持部材２２により下部移動棚７等は棚板１の下部に近接して保持されている。この下部移動棚７の保持方法を用いても、ワンタッチで下部移動棚７を使用状態にすることができる。また、フック１６及びフック勘合部１５とこの保持方法を併用することで、より確実に下部移動棚７を保持できる。
【００１５】
次に、図４を用いて飲料缶２０の貯蔵方法について説明する。上部移動棚３上面の手前側に飲料缶２０を供給すると図に示す矢印の方向へ傾斜に沿って缶は転がって行く。開口部２に到達した飲料缶２０は開口部２を通過し、下部垂直ガイド１３及び下部傾斜ガイド１１に沿って、棚板１の下側に移動する。その後、下部移動棚７の上面及び下部移動棚伸縮部８の上面を転がり、ストッパ部９に到達して停止する。さらに、追加して飲料缶２０を順々に上部移動棚３上面の手前側に供給していくと、飲料缶２０は数珠繋ぎに貯蔵されていき、下部垂直ガイド１３、下部傾斜ガイド１１及び上部移動棚３の上面が満杯になるまで飲料缶２０を貯蔵することができる。
【００１６】
数珠繋ぎに飲料缶２０が貯蔵された状態において、ストッパ部９に到達して停止している飲料缶２０を手２１で掴んで取り出すと、取り出した飲料缶２０の後ろに数珠繋ぎに並んでいた飲料缶２０が全て転がり下りてくる。その後、取り出された飲料缶２０の隣に貯蔵されていた飲料缶２０がストッパ部９に到達したところで停止する。つまり、ストッパ部９に到達して停止している下部移動棚伸縮部８上面の飲料缶２０を取り出すと、上部移動棚３の上面手前側に貯蔵されている飲料缶２０が順次減っていくことになる。
【００１７】
このように構成された棚においては、飲料缶２０を開口部２から供給することで、あらかじめ貯蔵してあった飲料缶２０の奥側に新しく供給した飲料缶２０を貯蔵することができる。飲料缶２０の取り出しは、ストッパ部９に到達して停止している手前側の飲料缶２０を簡単にとりだせるので取り出しの手間を省くことができる。
飲料缶２０を貯蔵する際には、棚板１に飲料缶２０の貯蔵に適した貯蔵場所を簡単に設けることができる。また、飲料缶２０を貯蔵しない場合は、下部移動棚７を棚板１の下部に簡単に収納することができる。つまり、使用者の用途によって自由に貯蔵物に適したスペースを棚板１と棚板１８の間に作ることができる。
【００１８】
また、先に貯蔵していた缶は手前にあり、後から入れた缶ほど奥側にあるので、先に貯蔵した缶と後から貯蔵した缶の識別が容易にでき、缶の新旧の間違えを防ぐことができる。たとえば冷蔵庫の場合、先に入れて良く冷えた缶と後から入れてまだあまり冷えていない缶との識別を簡単にすることができる。収納庫の場合、先に買った購入年月日の古い缶と後から買い足した購入年月日の新しい缶との識別を簡単にすることができる。
【００１９】
下部移動棚７使用状態において、上部移動棚３を緩やかに開口部２側に向かって下るように傾斜した状態に設けたので、飲料缶２０を上部移動棚３の上面手前側に供給するだけで、飲料缶２０を開口部２から供給することができ、飲料缶２０の供給が容易になる。また、下部移動棚７収納状態においては、上部移動棚３を開口部２に収納することで、棚板上面が平面となり、棚板１上に貯蔵スペースを作ることができる。また、上部移動棚３に指掛け用穴５が形成されているので、上部移動棚３の摺動が容易となる。さらに、取っ手のように突出しないので、上部移動棚３上に貯蔵物を貯蔵する際の邪魔にならない。
【００２０】
下部移動棚伸縮部８を設けたので、フック１６及びフック掛合部１７の掛合や取り外しが容易となる。また、棚板１と棚板１８との距離に合わせて下部移動棚７の傾斜角度を所望の傾斜角度に調整できる。また、下部移動棚７収納状態において、下部移動棚７等の保持にフック１６及びフック掛合部１７を用いたことにより、ワンタッチで下部移動棚７を使用状態にすることができる。
また、棚板１の下部と下部移動棚７に、互いに対応する位置に保持部材を設け、この保持部材により下部移動棚７等を棚板１の下部に近接して保持しても、ワンタッチで下部移動棚７を使用状態にすることができる。
【００２１】
下部移動棚７使用状態において、下部移動棚伸縮部８の手前部分を棚板１８上面に着座させ、下部移動棚７を緩やかに手前側に向かって下るように傾斜した状態に設けたので、下部移動棚７を所望の角度に支持する支持部材が必要なく、構造を簡単にすることができる。
【００２２】
なお、本実施形態１では飲料缶２０の貯蔵について説明したが、これに限らず、略円筒形状を有する貯蔵物であれば同様に下部移動棚７を使用して貯蔵することができる。また、本実施形態１では飲料缶２０を上部移動棚３上面の手前側から供給し、奥側に形成された開口部２を通過して下部移動棚７上面及び下部移動棚伸縮部８上面手前側に貯蔵される構造をとった。しかし、これに限らず、本実施形態１の棚が設けられる冷蔵庫又は収納庫の形態によって棚の利用がしやすいように、上部移動棚３、開口部２、下部移動棚７及び下部移動棚伸縮部８を横向きに設けてもよい。
【００２３】
実施の形態２．
実施の形態１では、下部移動棚７を使用する状態においては、下部移動棚伸縮部８の手前部分を棚板１８上面に着座させる構成とした。しかし、棚板１と棚板１８の距離が遠い場合、実施形態１の構成をとることは難しい。棚板１と棚板１８の距離が遠い場合、以下の構成とすることで本発明を実施することができる。なお、本実施形態２において、特に記述しない項目については実施の形態１と同様とし、同一機能については同一の符号を用いて述べることとする。
【００２４】
図８は、この発明の実施の形態２における、上部移動棚３及び下部移動棚７使用状態の貯蔵棚３０を示す外観斜視図である。棚板１と下部移動棚７は本発明における支持構造の１例であるリンク機構２３によって継合されている。このリンク機構２３は、リンク部材２３ａ及び回転支持軸２３ｂで構成されている。リンク部材２３ａはそれぞれ一端が回転支持軸２３ｂに回転自在に接続されている。また、リンク部材２３ａの他端は、それぞれ棚板１の下面及び下部移動棚７の側面に回転自在に接続され、棚板１と下部移動棚７を継合している。
【００２５】
図９は本実施形態２における貯蔵棚３０の正面図であり、（１）が上部移動棚３及び下部移動棚７収納状態の正面図、及び（２）が上部移動棚３及び下部移動棚７使用時の正面図である。また、図１０は本実施形態２における下部移動棚７の組立工程図である。下部移動棚７使用状態においては、リンク機構２３は伸びた状態となり、下部移動棚７を所定の角度に支持し、飲料缶２０を含めた下部移動棚７等の荷重を支える。下部移動棚７収納状態においては、リンク機構２３は、下部移動棚７の下方の貯蔵スペースにはみ出さないように鋭角に折り曲がっている。
【００２６】
このように構成された棚においては、棚板１と棚板１８の距離に関する制約を受けることがないので、棚板１と棚板１８の距離が遠い場合でも本発明に係る貯蔵棚３０を配置できる。つまり、棚板１のみで下部移動棚７を使用できるので、冷蔵庫又は収納庫２８の庫内のあらゆるスペースに本発明に係る貯蔵棚３０を配置できる。したがって、使い勝手がさらに良くなる。
【００２７】
なお、本実施形態２では、支持構造としてリンク機構２３を用いたが、柔軟性のある樹脂材や繊維等で編み込んだベルト等の帯状部材を用いることも可能である。また、棚板１８が下部移動棚伸縮部８を支持できる位置に設けられているときは、棚板１８及び支持構造を併用することで、より確実に下部移動棚伸縮部８を支持できる。
【００２８】
実施の形態３．
図１１は、この発明の実施の形態３における、上部移動棚３及び下部移動棚７使用状態の貯蔵棚３０を示す外観斜視図である。また、図１２はこの発明の実施形態３における下部移動棚７の組立工程図である。本実施形態３は本発明における支持構造の別の一例であり、実施の形態２のリンク機構２３に換わって、略コの字形状の支持部材２４が設けられている。支持部材２４は、支持バー２４ａ及び接続バー２４ｂから構成されている。支持バー２４ａの両端部には接続バー２４ｂの一端が回転自在に接続され、略コの字形状を形成している。また、接続バー２４ｂの他端は棚板１の下面に回転自在に接続されている。
【００２９】
下部移動棚７収納状態においては、支持バー２４ａは下部移動棚７に密着して配置されている。下部移動棚７を使用状態にすると、支持バー２４ａ及び接続バー２４ｂは、接続バー２４ｂの棚板１側の取り付け部を中心に回転しながら、下部移動棚７に追従する。接続バー２４ｂが垂直方向になったとき、支持バー２４ａは下部移動棚７の下面を支持し、下部移動棚７を所定の角度に支持する。
【００３０】
このように構成された棚においては、実施形態２のリンク機構と比較して、支持構造に用いられている回転自在の接続箇所を少なく構成できるので、回転自在の接続箇所の摩耗による故障などの発生を少なくできる。なお、支持バー２４ａが下部移動棚７に追従する構造としては、例えば下部移動棚７と支持バー２４ａの間にスライドガイド等を設けて摺動させる、又は磁力により追従する等種々の構造が可能である。また、略コの字形状の支持部材２４に換わる支持部材として、ヒモやワイヤ等の紐状部材を用いて下部移動棚７を吊っても良い。
【００３１】
実施の形態４．
図１３は、この発明の実施の形態４における、上部移動棚３及び下部移動棚７使用状態の貯蔵棚３０を示す外観斜視図である。また、図１４は本実施形態４における貯蔵棚３０の正面図であり、（１）が上部移動棚３及び下部移動棚７収納状態の正面図、及び（２）が上部移動棚３及び下部移動棚７使用時の正面図である。本実施形態４における貯蔵棚３０の基本構成は、実施の形態２と同様であるが、新たに下部移動棚７の両側面に脱輪防止ガイド２５が設けられている。脱輪防止ガイド２５は下部移動棚７の両側面に設けられた回転支持軸２６に回転自在に取り付けられている。尚、脱輪防止ガイド２５、回転支持軸２６は下部移動棚７の両側面に独立して配置されている。また、上部移動棚３が設けられている領域を除く棚板１上面には、振動を抑制するために例えば高分子材料からできたシート状の防振材２７が貼り付けられている。
【００３２】
下部移動棚７収納状態においては、図１４（１）に示すようにリンク機構２３が鋭角に折れ曲がる動作に連動して脱輪防止ガイド２５もリンク機構２３側に倒れ、収納される。下部移動棚７使用状態においては、図１４（２）に示すようにリンク機構２３が伸びる動作に連動して脱輪防止ガイド２５も立ち上がる。
【００３３】
また、脱輪防止ガイド２５が立ち上がった状態における、下部移動棚７上面から脱輪防止ガイド２５上端までの高さは、以下のように求められる。飲料缶２０の胴体部最大半径と飲料缶２０の縁部の半径との差をαｍｍとする。飲料缶２０が開口部２を通過し、下部移動棚７上面を転がる際に弾んで飛び上がる高さをβｍｍとする。両者を加えたα＋βｍｍを脱輪防止ガイド２５の高さとする。なお、本実施形態４では、飲料缶２０が開口部２を通過し、下部移動棚７上面を転がる際に弾んで飛び上がる高さを実験により求めβを決定し、α＋β≧１１とした。
【００３４】
このように構成された棚においては、下部移動棚７の両側面に脱輪防止ガイド２５を設けたので、飲料缶２０を貯蔵する過程で下部移動棚７から落下することを防止できる。また、脱輪防止ガイド２５を回転自在に取り付けたので、下部移動棚７収納時は薄く折りたたむ事ができる。
飲料缶２０は約２００ｇ〜３７０ｇと重量があり、棚板１の高さから下部移動棚７の高さまで落下する際に衝突振動の音を発する。この衝突の振動が棚板１に伝わり、棚板１をスピーカーのように振動させ共振音を出すことがある。しかし、防振材２７を棚板１上面に貼り付けたので、飲料缶２０落下の衝突による共振音の発生を防止することができる。したがって、飲料缶２０の供給や取り出しを静かに実施することができる。なお、本実施形態４では棚板１上面に防振材２７を貼り付けたが、棚板１の上面及び下面の少なくとも一方に防振材２７を貼り付けることで、飲料缶２０落下の衝突による共振音の発生を防止することができる。
【００３５】
実施の形態５．
図１５は、本発明における上記実施の形態１〜実施の形態４に記載のいずれかの貯蔵棚３０を設けた冷蔵庫又は収納庫２８の一例である。また、図１６はこの冷蔵庫又は収納庫２８の側面断面模式図である。
冷蔵庫又は収納庫２８の最上段に本発明における貯蔵棚３０が設けられている。図１６に示すように、最上段の棚は目線の関係で奥まで見通しが悪いため、有効に活用できていない。しかし、本発明における上記実施の形態１〜実施の形態４に記載のいずれかの貯蔵棚３０を冷蔵庫又は収納庫２８の最上段に設けることにより、飲料缶２０の収納は見通しの良い手前部分で行うことができ、また貯蔵は見通しの悪い奥側まで利用することができる。したがって、従来は有効に活用できていなかった最上段奧のスペースを有効に活用することができる。
【００３６】
実施の形態６．
図１７は、本発明における上記実施の形態１〜実施の形態４に記載のいずれかの貯蔵棚３０を設けた冷蔵庫又は収納庫２８の別の一例である。本発明における貯蔵棚３０が全ての段に設けられている。また、各貯蔵棚３０には下部移動棚７が２つ設けられている。
このように構成することで、上下の棚の間隔に関係なく、飲料缶２０の貯蔵を効率良く行うことができる。また、下部移動棚７を使用しない場合は折りたたんで平面にすることで、通常の棚として利用できるので、使い方の自由度が高くなる。したがって、使い勝手を良くすることができる。
【図面の簡単な説明】
【００３７】
【図１】この発明の実施の形態１における上部移動棚３及び下部移動棚７収納状態の貯蔵棚３０を示す外観斜視図である。
【図２】この発明の実施の形態１における上部移動棚３及び下部移動棚７使用状態の貯蔵棚３０を示す外観斜視図である。
【図３】この発明の実施の形態１における上部移動棚３及び下部移動棚７収納状態の貯蔵棚３０を示す側面図である。
【図４】この発明の実施の形態１における上部移動棚３及び下部移動棚７使用状態の貯蔵棚３０を示す側面図である。
【図５】この発明の実施の形態１を示す下部移動棚７の組立工程図である。
【図６】この発明の実施の形態１を示す上部移動棚３の組立工程図である。
【図７】この発明の実施の形態１における下部移動棚７保持方法の別の一例である。
【図８】この発明の実施の形態２における上部移動棚３及び下部移動棚７使用状態の貯蔵棚３０を示す外観斜視図である。
【図９】この発明の実施の形態２を示す貯蔵棚３０の正面図であり、（１）が上部移動棚３及び下部移動棚７収納状態の正面図、及び（２）が上部移動棚３及び下部移動棚７使用時の正面図である。
【図１０】この発明の実施の形態２を示す下部移動棚７の組立工程図である。
【図１１】この発明の実施の形態３における上部移動棚３及び下部移動棚７使用状態の貯蔵棚３０を示す外観斜視図である。
【図１２】この発明の実施の形態３を示す下部移動棚７の組立工程図である。
【図１３】この発明の実施の形態４における上部移動棚３及び下部移動棚７使用状態の貯蔵棚３０を示す外観斜視図である。
【図１４】この発明の実施の形態４を示す貯蔵棚３０の正面図であり、（１）が上部移動棚３及び下部移動棚７収納状態の正面図、及び（２）が上部移動棚３及び下部移動棚７使用時の正面図である。
【図１５】この発明の実施の形態１〜実施の形態４に記載のいずれかの貯蔵棚３０を設けた冷蔵庫又は収納庫２８の一例である。
【図１６】図１５に示す冷蔵庫又は収納庫２８の側面断面模式図である。
【図１７】この発明の実施の形態１〜実施の形態４に記載のいずれかの貯蔵棚３０を設けた冷蔵庫又は収納庫２８の別の一例である。
【符号の説明】
【００３８】
１  棚板、２  開口部、３  上部移動棚、４  上部移動棚ガイド、５  指掛け用穴、６  傾斜脚、７  下部移動棚、８  下部移動棚伸縮部、９  ストッパ部、１０  回転支持軸、１１  下部傾斜ガイド、１２  回転支持軸、１３  下部垂直ガイド、１４  回転支持軸、１５  リンク機構、１６  フック、１７  フック掛合部、１８  棚板、１９  背面板、２０  飲料缶、２１  手、２２  保持部材、２３  リンク機構、２３ａ  リンク部材、２３ｂ  回転支持軸、２４  支持部材、２４ａ  支持バー、２４ｂ  接続バー、２５  脱輪防止ガイド、２６  回転支持軸、２７  防振材、２８  冷蔵庫又は収納庫、３０  貯蔵棚。
【図１】
2008215777.tif 000003
【図２】
2008215777.tif 000004
【図３】
2008215777.tif 000005
【図４】
2008215777.tif 000006
【図５】
2008215777.tif 000007
【図６】
2008215777.tif 000008
【図７】
2008215777.tif 000009
【図８】
2008215777.tif 000010
【図９】
2008215777.tif 000011
【図１０】
2008215777.tif 000012
【図１１】
2008215777.tif 000013
【図１２】
2008215777.tif 000014
【図１３】
2008215777.tif 000015
【図１４】
2008215777.tif 000016
【図１５】
2008215777.tif 000017
【図１６】
2008215777.tif 000018
【図１７】
2008215777.tif 000019